(57)【要約】【課題】建築工事現場で内部のモニタ及び建築工事に係る各種情報を第３者に提供できるようにする。【解決手段】一部を透明板からなる仮囲いで構成して建築工事現場の囲いとし、仮囲いの近傍の外壁面に、ディスプレイ１と入力パネル２とスピーカ３を取り付け、現場周辺に設置された情報処理装置５により、建築工事に係る情報を格納してディスプレイ１に表示する画面を制御しスピーカ３の音声出力を制御して、入力パネル２からの入力操作にしたがい、建築工事現場をモニタするカメラ４−１、４−２によるモニタ画面及び建築工事に係る情報をディスプレイ１に表示し、建築工事に係る情報をスピーカ３より音声出力する。【選択図】      図１
2004341091.tif 000002
【特許請求の範囲】
【請求項１】
建築工事に係る情報を公開するための建築工事現場公開用囲いであって、一部を透明板からなる仮囲いで構成して建築工事現場の囲いとし、前記仮囲いの近傍の外壁面に、ディスプレイと入力パネルを取り付け、現場周辺に設置された情報処理装置により、前記建築工事に係る情報を格納して前記ディスプレイに表示する画面を制御して、前記入力パネルからの入力操作にしたがい、建築工事現場をモニタするカメラによるモニタ画面及び前記建築工事に係る情報をディスプレイに表示するように構成したことを特徴とする建築工事現場公開用囲い。
【請求項２】
建築工事に係る情報を公開するための建築工事現場公開用囲いであって、一部を透明板からなる仮囲いで構成して建築工事現場の囲いとし、前記仮囲いの近傍の外壁面に、ディスプレイと入力パネルとスピーカを取り付け、現場周辺に設置された情報処理装置により、前記建築工事に係る情報を格納して前記ディスプレイに表示する画面及び前記スピーカの音声出力を制御して、前記入力パネルからの入力操作にしたがい、建築工事現場をモニタするカメラによるモニタ画面及び前記建築工事に係る情報をディスプレイに表示し、前記建築工事に係る情報を前記スピーカより音声出力するように構成したことを特徴とする建築工事現場公開用囲い。
【請求項３】
前記入力パネルは、ディスプレイ上に設けられたタッチパネルであることを特徴とする請求項１又は２のいずれかに記載の建築工事現場公開用囲い用システム。
【請求項４】
一部を透明板からなる仮囲いで構成して建築工事現場の囲いとして建築工事に係る情報を公開するための建築工事現場公開用囲い用システムであって、
建築工事現場をモニタするカメラと、
前記カメラによるモニタ画面及び前記建築工事に係る情報を表示するディスプレイと、
前記ディスプレイに表示する画面の選択操作の入力を行う入力パネルと、
前記建築工事に係る情報を格納して前記入力パネルの入力に従いディスプレイに表示する画面を制御する情報処理装置と
を有することを特徴とする建築工事現場公開用囲い用システム。
【請求項５】
一部を透明板からなる仮囲いで構成して建築工事現場の囲いとして建築工事に係る情報を公開するための建築工事現場公開用囲い用システムであって、
建築工事現場をモニタするカメラと、
前記カメラによるモニタ画面及び前記建築工事に係る情報を表示するディスプレイと、
前記ディスプレイに表示する画面の選択操作の入力を行う入力パネルと、
前記建築工事に係る情報の音声出力するスピーカと、
前記建築工事に係る情報を格納して前記入力パネルの入力に従いディスプレイに表示する画面及び前記スピーカの音声出力を制御する情報処理装置と
を有することを特徴とする建築工事現場公開用囲い用システム。
【請求項６】
前記ディスプレイ及び入力パネルは、前記仮囲いの近傍の前記建築工事現場の囲い外壁面に設置したことを特徴とする請求項４又は５のいずれかに記載の建築工事現場公開用囲い用システム。
【請求項７】
前記入力パネルは、ディスプレイ上に設けられたタッチパネルであることを特徴とする請求項４乃至６のいずれかに記載の建築工事現場公開用囲い用システム。
【発明の詳細な説明】
【０００１】
【発明の属する技術分野】
本発明は、建築工事に係る情報を公開するための建築工事現場公開用囲い、及び一部を透明板からなる仮囲いで構成して建築工事現場の囲いとして建築工事に係る情報を公開するための建築工事現場公開用囲い用システムに関する。
【０００２】
【従来の技術】
情報化の進展に伴い、建築関連分野においても、様々な情報を共有して適宜相互に提供することにより、効率化、質の向上を図るためのシステムが提案されている。建築関係の情報を広く公開する支援システムとして、例えば住宅を建てようとするユーザに対して、設計条件を含むユーザ情報や設計例を含む設計士情報を登録してこれらを公開し、ユーザが所望の設計士を選択できるようにする受発注支援システム（例えば、特許文献１参照）、第３者により、請負種類毎の見積額を含む見積情報を総合請負業者及び当該請負種類毎の専門請負業者で蓄積して、建設に係る案件の見積総額と総合請負業者の情報及び請負種類毎の見積額の最低額の情報を含めて見積比較リストを生成し、案件の依頼者の選定を行えるようにすることにより、建築物の品質の低下をなくし、工事費等の削減を可能にする建設支援システム（例えば、特許文献２参照）が提案されている。
【０００３】
【特許文献１】
特開２００１−２５００４２号公報
【０００４】
【特許文献２】
特開２００２−３４２６１７号公報
【０００５】
【発明が解決しようとする課題】
一方、建築分野においては、建築物の大型化、多様化に伴い、工事中における周囲への騒音、日照その他の環境への影響を含む諸問題も多様化している。そのため、建築工事現場では、その周辺地域での充分な情報の提供、情報の開示、相互理解に努めることが求められるが、上記従来の支援システムでは、建築物に関与する者を対象とするものであって、間接的にその影響を受ける周辺地域の住民等を含む第３者に情報を提供できるものではなかった。
【０００６】
【課題を解決するための手段】
本発明は、上記課題を解決するものであって、建築工事現場で内部のモニタ及び建築工事に係る各種情報を第３者に提供できるようにするものである。
【０００７】
そのために本発明は、建築工事に係る情報を公開するための建築工事現場公開用囲いであって、一部を透明板からなる仮囲いで構成して建築工事現場の囲いとし、前記仮囲いの近傍の外壁面に、ディスプレイと入力パネルを取り付け、現場周辺に設置された情報処理装置により、前記建築工事に係る情報を格納して前記ディスプレイに表示する画面を制御して、前記入力パネルからの入力操作にしたがい、建築工事現場をモニタするカメラによるモニタ画面及び前記建築工事に係る情報をディスプレイに表示するように構成したことを特徴とし、さらにはスピーカを取り付け、前記ディスプレイに表示する画面を制御し前記スピーカの音声出力を制御する情報処理装置により、前記入力パネルからの入力操作にしたがい、建築工事現場をモニタするカメラによるモニタ画面及び前記建築工事に係る情報をディスプレイに表示し、前記建築工事に係る情報をスピーカより音声出力するように構成したことを特徴とするものである。
【０００８】
また、一部を透明板からなる仮囲いで構成して建築工事現場の囲いとして建築工事に係る情報を公開するための建築工事現場公開用囲い用システムであって、建築工事現場をモニタするカメラと、前記カメラによるモニタ画面及び前記建築工事に係る情報を表示するディスプレイと、前記ディスプレイに表示する画面の選択操作の入力を行う入力パネルと、前記建築工事に係る情報を格納して前記入力パネルの入力に従いディスプレイに表示する画面を制御する情報処理装置とを有することを特徴とし、さらには、前記建築工事に係る情報の音声出力するスピーカと、前記建築工事に係る情報を格納して前記入力パネルの入力に従いディスプレイに表示する画面及び前記スピーカの音声出力を制御する情報処理装置とを有することを特徴とするものである。
【０００９】
前記ディスプレイ及び入力パネルは、前記仮囲いの近傍の前記建築工事現場の囲い外壁面に設置したことを特徴とし、前記入力パネルは、ディスプレイ上に設けられたタッチパネルであることを特徴とするものである。
【００１０】
【発明の実施の形態】
以下、本発明の実施の形態を図面を参照しつつ説明する。図１は本発明に係る建築工事現場公開システムの実施の形態を示す図である。図中、１はディスプレイ、２は入力パネル、３はスピーカ、４−１、４−２はカメラ、５は現場情報端末、６はセンター管理端末を示す。
【００１１】
図１において、ディスプレイ１は、工事関係者以外の第３者が自由に観ることができるように建築工事現場の外側の安全な区域に設置されて、メニュー画面や選択画面、情報提供画面、モニタ画面により、建築、その工事に関する情報や建築工事現場の様子を表示する表示出力手段である。入力パネル２は、ディスプレイ１の近傍に設置されて、工事関係者以外の第３者がディスプレイ１に表示される画面、情報の選択、情報の入力等の操作機能を有するキーパネルやディスプレイ１の上面に配置したタッチパネル等の操作・入力手段である。スピーカ３は、ディスプレイ１の近傍に設置されて、ディスプレイ１の画面を観、入力パネル２を操作する工事関係者以外の第３者に対して建築工事現場の説明や案内、ディスプレイ１の画面、入力パネル２の操作の案内情報を音声で伝達する音声出力手段である。カメラ４−１、４−２は、建築工事現場の建築物や隣接する建築物、塔、塀、電柱などの構築物に首振り等の回動機構を使って取り付けられ、建築工事現場の映像を撮影するものであり、この映像がディスプレイ１にモニタ画面として表示される。
【００１２】
現場情報端末５は、ディスプレイ１に表示する画面の出力・管理制御、入力パネル２の入力の管理制御、スピーカ３から出力する音声情報の出力・管理制御、カメラ４−１、４−２の撮影角度の制御、撮影した映像の管理を行うものである。センター管理端末６は、建築工事現場の情報を管理するものであり、ここで、管理者により適宜情報の登録、更新が行われて現場情報端末５に送られ、また、モニタ画面を現場情報端末５から受信してモニタすることもできる。なお、これら現場情報端末５、センター管理端末６は、１つの情報端末で兼用してもよいし、センター管理端末６に複数の現場情報端末５を通信回線で接続して、センターで複数の建築工事現場の情報を管理してもよい。
【００１３】
図２はディスプレイに表示するメニュー画面の例及び提供する情報の例を説明するための図、図３は本実施形態に係る建築工事現場公開システムの設置例を示す図であり、１１は建築工事現場、１２は仮囲い、１３は透明仮囲いを示す。
【００１４】
ディスプレイには、例えば図２に示すようなメニュー画面から各種画面に切り換えて、また音声により要求に応じた情報を提供できるようにすればよい。図２に示すメニュー画面は、現場映像、紹介情報、お知らせなどの項目に分け、さらに紹介情報として建物の紹介、注目技術の紹介（環境技術、建築技術）、施工計画の紹介などの項目に分類している。そして、現場映像の項目では、例えば各カメラの映像画面の選択を行う。建物の紹介では、例えば完成予想図や外観図、建物のフロア構成、高さ、特徴など、建築中の建物の各種情報の紹介を行う。注目技術の紹介では、例えば環境技術として太陽光利用、雨水利用、下水処理、建材、緑化（植栽、屋上緑化など）、環境に配慮した技術を採用している場合のその注目すべき技術の紹介、また、建築技術として、工法や構造において特徴的な技術や新技術を採用している場合のその注目すべき技術の紹介などを行う。また、施工計画の紹介では、短長期の施工スケジュールと各施工内容の紹介や、各工事の具体的内容、施工時期の紹介などを行う。お知らせは、各種公報などに用いる。勿論、これらメニュー画面、メニュー項目、各情報の内容などを含め、適宜編集、変更自由であることはいうまでもない。
【００１５】
本実施形態に係る建築工事現場公開システムは、例えば図３に示すように、ディスプレイ１、入力パネル２、スピーカ３、カメラ４−１、４−２がそれぞれ建築工事現場１１の周辺に配置される。建築工事現場１１は、建築用重機が配置され、移動する資材置場を含む区域で、工事関係者のみの立入りが許され第３者の立入りが禁止されている区域である。仮囲い１２は、建築工事現場１１の周囲を囲って外部と遮蔽するものであり、透明仮囲い１３は、仮囲い１２の一部に見学コーナーとして、例えばアクリル樹脂等の透明な板材で建築工事現場１１を身近に安全に見学できるようにするものである。ディスプレイ１、入力パネル２、スピーカ３は、透明仮囲い１３又はその近傍の仮囲い１２の壁面に取り付けてインフォメーションギャラリーとし、カメラ４−１は、仮囲い１２や建築工事現場１１の上方に、カメラ４−２は、隣接する構築物の上方にそれぞれ定点観測用として取り付けている。
【００１６】
そして、インフォメーションギャラリーに配置されたディスプレイ１に例えばメニュー画面が表示され、入力パネル２の操作にしたがい関心のある項目が順次選択され、モニタ画面や情報提示画面が提供され、また、スピーカ３を通して音声情報が提供される。ディスプレイ１には、常時メニュー画面を表示し、あるいはディスプレイ１の前方に人がいることを検知する人感センサーを設置し、人感センサーからの人の検知信号が一定時間以上継続していることを条件に画面をオンにし、人が検知されなくなって一定時間以上経過したことを条件に画面をオンにするようにしてもよい。
【００１７】
なお、本発明は、上記実施の形態に限定されるものではなく、種々の変形が可能である。例えば上記実施の形態では、定点観測用としてカメラを上方に配置しかが、建築工事現場の中に適宜配置し、内部での工事の様子や進捗状況をモニタできるようにしてもよい。また、提供する情報は、上記の情報に限らず、模型、ＣＧパース、設計図、総合ＣＡＤ図、構工法、ボーリングデータ、地層データ、建築現場の進行過程がわかる写真やビデオ映像など様々なジャンルの情報を組み合わせて提供できるようにしてもよい。
【００１８】
【発明の効果】
以上の説明から明らかなように、本発明によれば、工事中の建築工事現場で、入力パネルを選択操作して、簡便に工事関係者以外の一般第３者に対し、内部のモニタ画面や建築工事に係る情報を提供することができるので、地域住民に適切な情報を提供し、情報不足による不安を解消して地域との融和を図ることができる。また、建築工事現場の周辺地域住民とって、実際に施工中の建築工事に関して必要な情報、関心のある情報を取得することができ、建築工学の講義、社会教育の教材として、また、見学会や交流会に活用することができる。
【図面の簡単な説明】
【図１】本発明に係る建築工事現場公開システムの実施の形態を示す図である。
【図２】ディスプレイの画面より提供する情報のメニューの例を示す図である。
【図３】本発明に係る建築工事現場公開システムの現場レイアウトの概要を説明するための図である。
【符号の説明】
１…ディスプレイ、２…入力パネル、３…スピーカ、４−１、４−２…カメラ、５…現場情報端末、６…センター管理端末、１１…工事現場、１２…仮囲い、１３…透明仮囲い
【図１】
2004341091.tif 000003
【図２】
2004341091.tif 000004
【図３】
2004341091.tif 000005